(57)【要約】【課題】印刷属性設定の組み合わせが登録できるプリンタドライバにおいて、登録した印刷属性組み合わせの設定内容の確認および変更を容易にすることを目的とする。【解決手段】ユーザが登録した印刷属性の組み合わせを指定する印刷属性組み合わせ指定手段、前記印刷属性組み合わせ指定手段により指定された印刷属性組み合わせについて、デフォルトの設定値から変更がある印刷属性のみ設定属性およびその設定値を表示する印刷属性設定内容表示手段、から構成される。【選択図】        図５
2006221415.tif 000002
【特許請求の範囲】
【請求項１】
ユーザが印刷属性の組み合わせを登録することが可能なプリンタドライバにおいて、
ユーザが登録した印刷属性の組み合わせを指定する印刷属性組み合わせ指定手段、
前記印刷属性組み合わせ指定手段により指定された印刷属性組み合わせについて、デフォルトの設定値から変更がある印刷属性のみ設定属性およびその設定値を表示する印刷属性設定内容表示手段、
を有することを特徴とする、登録した印刷属性組み合わせの設定属性内容確認方法。
【請求項２】
請求項１記載の登録した印刷属性組み合わせの設定属性内容確認方法において、プリンタドライバは、
ユーザが印刷属性設定内容の表示を指示する、印刷属性設定内容表示指示手段、
前記印刷属性設定内容表示指示手段により表示指示があった場合、指定された印刷属性組み合わせについて、デフォルトの設定値から変更がある印刷属性をダイアログに表示する、印刷属性設定内容表示手段、
を有することを特徴とする、登録した印刷属性組み合わせの設定属性内容確認方法。
【請求項３】
請求項１記載の登録した印刷属性組み合わせの設定属性内容確認方法において、プリンタドライバは、
ユーザからの印刷開始指示を受けて印刷を実行する際、印刷に先立ち、指定された印刷属性組み合わせについて、デフォルトの設定値から変更がある印刷属性をダイアログに表示する、印刷属性設定内容表示手段、
前記印刷属性設定内容表示手段により使用されるダイアログに、ユーザが印刷を開始の指示を行う、印刷開始指示手段、
前記印刷属性設定内容表示手段により使用されるダイアログに、ユーザが印刷を中止する指示を行う、印刷中止指示手段、
を有することを特徴とする、登録した印刷属性組み合わせの設定属性内容確認方法。
【請求項４】
請求項１記載の登録した印刷属性組み合わせの設定属性内容確認方法において、プリンタドライバは、
ユーザが登録した印刷属性組み合わせをアイコンで列挙表示する、印刷属性組み合わせアイコン列挙表示手段、
ユーザが印刷属性組み合わせのアイコンにマウスカーソルをフォーカスしたときに、フォーカスされた印刷属性組み合わせについて、デフォルトの設定値から変更がある印刷属性をツールチップに表示する、印刷属性設定内容表示手段、
を有することを特徴とする、登録した印刷属性組み合わせの設定属性内容確認方法。
【請求項５】
請求項２記載の登録した印刷属性組み合わせの設定属性内容確認方法において、プリンタドライバは、
ユーザが、ダイアログに表示された印刷属性あるいはその設定値を指定することができる印刷属性および属性設定値指定手段、
前記印刷属性および属性設定値指定手段により指定された印刷属性について、ユーザがその設定値を変更できる、印刷属性設定値変更手段、
を有することを特徴とする、登録した印刷属性組み合わせの設定属性内容確認方法。
【請求項６】
請求項３記載の登録した印刷属性組み合わせの設定属性内容確認方法において、プリンタドライバは、
ユーザが、ダイアログに表示された印刷属性あるいはその設定値を指定することができる印刷属性および属性設定値指定手段、
前記印刷属性および属性設定値指定手段により指定された印刷属性について、ユーザがその設定値を変更できる、印刷属性設定値変更手段、
を有することを特徴とする、登録した印刷属性組み合わせの設定属性内容確認方法。
【請求項７】
請求項４記載の登録した印刷属性組み合わせの設定属性内容確認方法において、プリンタドライバは、
ユーザが、前記印刷属性組み合わせアイコン列挙表示手段による表示されたアイコンを、通常の指定とは異なる状態で指定する、印刷属性組み合わせアイコン特定指定手段、
前記印刷属性組み合わせアイコン特定指定手段により指定があった印刷属性組み合わせについて、ユーザが印刷属性設定値を変更することができる、印刷属性設定値変更手段、
登録した印刷属性組み合わせの設定属性内容確認方法および設定属性変更方法、
を有することを特徴とする、登録した印刷属性組み合わせの設定属性内容確認方法。
【請求項８】
請求項４記載の登録した印刷属性組み合わせの設定属性内容確認方法において、プリンタドライバは、
ユーザが指定した前記印刷属性組み合わせアイコンにおいて、
ユーザが指示するアイコンについて、変更する印刷属性を特定する、変更対象印刷属性特定手段、
ユーザが指示するアイコン上の場所を判定する、指示場所判定手段、
前記指示場所判定手段により判定された指示された場所に応じて、該当する印刷属性の属性設定値を変更する、印刷属性設定値変更手段、
登録した印刷属性組み合わせの設定属性内容確認方法および設定属性変更方法、
を有することを特徴とする、登録した印刷属性組み合わせの設定属性内容確認方法。
【請求項９】
ユーザが印刷属性の組み合わせを登録することが可能なプリンタドライバにおいて、
ユーザが登録した印刷属性の組み合わせを指定する印刷属性組み合わせ指定手段、
前記印刷属性組み合わせ指定手段により指定された印刷属性組み合わせについて、デフォルトの設定値から変更がある印刷属性のみ設定属性およびその設定値を表示する印刷属性設定内容表示手段、
を有することを特徴とする、設定属性変更方法。
【請求項１０】
請求項９記載の設定属性変更方法において、プリンタドライバは、
ユーザが印刷属性設定内容の表示を指示する、印刷属性設定内容表示指示手段、
前記印刷属性設定内容表示指示手段により表示指示があった場合、指定された印刷属性組み合わせについて、デフォルトの設定値から変更がある印刷属性をダイアログに表示する、印刷属性設定内容表示手段、
を有することを特徴とする、設定属性変更方法。
【請求項１１】
請求項９記載の設定属性変更方法において、プリンタドライバは、
ユーザからの印刷開始指示を受けて印刷を実行する際、印刷に先立ち、指定された印刷属性組み合わせについて、デフォルトの設定値から変更がある印刷属性をダイアログに表示する、印刷属性設定内容表示手段、
前記印刷属性設定内容表示手段により使用されるダイアログに、ユーザが印刷を開始の指示を行う、印刷開始指示手段、
前記印刷属性設定内容表示手段により使用されるダイアログに、ユーザが印刷を中止する指示を行う、印刷中止指示手段、
を有することを特徴とする、設定属性変更方法。
【請求項１２】
請求項９記載の設定属性変更方法において、プリンタドライバは、
ユーザが登録した印刷属性組み合わせをアイコンで列挙表示する、印刷属性組み合わせアイコン列挙表示手段、
ユーザが印刷属性組み合わせのアイコンにマウスカーソルをフォーカスしたときに、フォーカスされた印刷属性組み合わせについて、デフォルトの設定値から変更がある印刷属性をツールチップに表示する、印刷属性設定内容表示手段、
を有することを特徴とする、設定属性変更方法。
【請求項１３】
請求項１０記載の設定属性変更方法において、プリンタドライバは、
ユーザが、ダイアログに表示された印刷属性あるいはその設定値を指定することができる印刷属性および属性設定値指定手段、
前記印刷属性および属性設定値指定手段により指定された印刷属性について、ユーザがその設定値を変更できる、印刷属性設定値変更手段、
を有することを特徴とする、設定属性変更方法。
【請求項１４】
請求項１１記載の設定属性変更方法において、プリンタドライバは、
ユーザが、ダイアログに表示された印刷属性あるいはその設定値を指定することができる印刷属性および属性設定値指定手段、
前記印刷属性および属性設定値指定手段により指定された印刷属性について、ユーザがその設定値を変更できる、印刷属性設定値変更手段、
を有することを特徴とする、設定属性変更方法。
【請求項１５】
請求項１２記載の設定属性変更方法において、プリンタドライバは、
ユーザが、前記印刷属性組み合わせアイコン列挙表示手段による表示されたアイコンを、通常の指定とは異なる状態で指定する、印刷属性組み合わせアイコン特定指定手段、
前記印刷属性組み合わせアイコン特定指定手段により指定があった印刷属性組み合わせについて、ユーザが印刷属性設定値を変更することができる、印刷属性設定値変更手段、
登録した印刷属性組み合わせの設定属性内容確認方法および設定属性変更方法、
を有することを特徴とする、設定属性変更方法。
【請求項１６】
請求項１２記載の設定属性変更方法において、プリンタドライバは、
ユーザが指定した前記印刷属性組み合わせアイコンにおいて、
ユーザが指示するアイコンについて、変更する印刷属性を特定する、変更対象印刷属性特定手段、
ユーザが指示するアイコン上の場所を判定する、指示場所判定手段、
前記指示場所判定手段により判定された指示された場所に応じて、該当する印刷属性の属性設定値を変更する、印刷属性設定値変更手段、
登録した印刷属性組み合わせの設定属性内容確認方法および設定属性変更方法、
を有することを特徴とする、設定属性変更方法。
【発明の詳細な説明】
【技術分野】
【０００１】
本発明は、プリンタドライバにおいて登録した印刷属性組み合わせの設定属性内容確認方法および設定属性変更方法に関するものである。
【背景技術】
【０００２】
従来、ユーザが印刷属性設定値の組み合わせを登録する方法として、特許文献１、特許文献２に見られるような方法が提案されている。しかしこれらは、ユーザがよく使用する印刷属性の組み合わせに対して、特定の名称、あるいはアイコンを付加して登録し、登録した印刷属性の組み合わせを選択することにより、各印刷属性の設定値に反映させ、登録した印刷属性で印刷できる方法である。
【特許文献１】特開２０００−２２２１５９号公報
【特許文献２】特開２００２−１８２８７１号公報
【発明の開示】
【発明が解決しようとする課題】
【０００３】
しかし上記従来例では以下のような問題がある。
【０００４】
通常、プリンタドライバの印刷属性設定ダイアログは複数の設定シート（プロパティシート）から構成されており、各印刷属性設定コントロールはグループ化され、グループ毎に各シートに配置されている場合が多い。
【０００５】
ユーザが印刷属性設定の組み合わせを登録できる場合、このようなプリンタドライバでは、一度ユーザが各設定シートで印刷属性の設定を行い、登録設定指示を行い登録する場合が多い。また登録する際に、登録する印刷属性設定組み合わせに対して、名称を定義できる、あるいは予め用意されているアイコンリストからアイコンを定義できる機能がある。
【０００６】
ユーザが登録する印刷属性設定の組み合わせがさほど複雑でない場合には、印刷属性設定の組み合わせ登録する際にわかり易い名称を定義すれば、後にその組み合わせを選択する際に容易に探し出せるが、複雑な設定や、設定した印刷属性設定値の組み合わせが近い場合などは、登録する際に定義する登録名称だけでは、どのような印刷属性設定の組み合わせなのか、わからないケースがある。この場合、どのような組み合わせであるか確認したいとき、ユーザは一度その印刷属性設定組み合わせを選択し（このとき、印刷属性設定値は各設定シートに反映される）、各シートの設定状況を確認する必要があり、操作性が悪く、生産性の低下を招いていた。
【０００７】
本発明は、以上の点に着目して成されたもので、印刷属性設定の組み合わせが登録できるプリンタドライバにおいて、登録した印刷属性組み合わせの設定内容の確認および変更を容易にする登録した印刷属性組み合わせの設定属性内容確認方法および設定属性変更方法を提供することを目的とする。
【課題を解決するための手段】
【０００８】
上記問題を解決するために、本発明は、
ユーザが印刷属性の組み合わせを登録することが可能なプリンタドライバにおいて、
ユーザが登録した印刷属性の組み合わせを指定する印刷属性組み合わせ指定手段、
前記印刷属性組み合わせ指定手段により指定された印刷属性組み合わせについて、デフォルトの設定値から変更がある印刷属性のみ設定属性およびその設定値を表示する印刷属性設定内容表示手段
を有することを特徴とする。
【発明の効果】
【０００９】
本発明において、ユーザが印刷属性の組み合わせを登録することが可能なプリンタドライバにおいて、ユーザが登録した印刷属性の組み合わせを指定する印刷属性組み合わせ指定手段、前記印刷属性組み合わせ指定手段により指定された印刷属性組み合わせについて、デフォルトの設定値から変更がある印刷属性のみ設定属性およびその設定値を表示する印刷属性設定内容表示手段を有することにより、登録した印刷属性設定の組み合わせの設定内容が簡単な操作ですぐに確認できるという効果がある。
【発明を実施するための最良の形態】
【００１０】
以下本発明を実施するための最良の形態を、実施例により詳しく説明する。
【実施例１】
【００１１】
図１から図１３は本発明の実施例をもっともよく表す図面であり、これらの図により説明を行う。
【００１２】
図１から図４は、印刷属性が登録可能なプリンタドライバの設定プロパティシートで、図１は登録した印刷属性をアイコンでリスト表示する構造を含むＭａｉｎシート、図２はフィニッシング関係の設定を行うＦｉｎｉｓｈｉｎｇシート、図３は給紙段関係の設定を行うＰａｐｅｒ  Ｓｏｕｒｃｅシート、図４は印刷の品質関係の設定を行うＱｕａｌｉｔｙシートである。
【００１３】
本実施例では、図１から図４のプロパティシートをもつプリンタドライバにおいて、図５から図１３を使用して、４種類の手順を示す。４種類の手順とは、印刷属性設定の組み合わせを登録する手順、登録した印刷属性組み合わせを選択および適用する手順、選択した印刷属性の組み合わせの設定内容を確認する手順、選択した印刷属性の組み合わせの設定値を変更する手順である。
【００１４】
図５は、印刷属性設定の組み合わせを登録する手順を示す流れ図であり、この図に沿って所望の印刷属性設定の組み合わせを登録する方法を説明する。なお、本実施例では、印刷属性の設定値組み合わせをＰｒｏｆｉｌｅと呼ぶことにする。また、このＰｒｏｆｉｌｅ登録の説明では、パンチ穴を開ける設定のＰｒｏｆｉｌｅを登録する手順について説明する。
【００１５】
まずユーザは、Ｓ５０１において、プリンタドライバの各プロパティシートにおいて所望の設定を行う。ここでは、ユーザはパンチ穴を行うＰｒｏｆｉｌｅを登録するため、図２の２０１のＦｉｎｉｓｈｉｎｇシートを開き、Ｆｉｎｉｓｈｉｎｇシート２０１上にある２０２のパンチ穴設定を行う、Ｈｏｌｅ  ＰｕｎｃｈチェックボックスをＯＮにする。この時点で所望の設定が完了したため、Ｍａｉｎシート１０１に戻る。なおこの例では、パンチ穴のみを設定する例を示したが、他にも設定が必要な場合は、各プロパティシートにおいて所望の設定を行えばよい。
【００１６】
Ｍａｉｎシートに戻った後、現在のプリンタドライバの設定を登録するため、Ｓ５０２の手順において、１０６の「Ｒｅｇｉｓｔｅｒ  ｔｏ  Ｐｒｏｆｉｌｅ」ボタンを押下する。この押下をきっかけとして、プリンタドライバは図６のＰｒｏｆｉｌｅ登録ダイアログを表示する。このダイアログでは、登録するＰｒｏｆｉｌｅのＰｒｏｆｉｌｅ名称を設定するエディットボックス６０１、登録するＰｒｏｆｉｌｅのアイコンを選択するリストボックス６０２から構成される。ここでユーザは、Ｓ５０３の手順において、Ｐｒｏｆｉｌｅ名称とアイコンを選択する。Ｐｒｏｆｉｌｅ名称設定エディットボックス６０１で、パンチ穴を開ける設定の組み合わせ（Ｐｒｏｆｉｌｅ）を登録するため、Ｐｒｏｆｉｌｅ名称としては、「Ｈｏｌｅ  Ｐｕｎｃｈ」と入力する。また、登録するアイコンは、アイコン選択リストボックス６０２に表示されているアイコンから選択するが、ここでは、パンチ穴の設定を登録するため、表示されているアイコンの右側の６０３のアイコンを選択する。以上の手順により、登録するＰｒｏｆｉｌｅの名称とアイコンを指定したため、Ｓ５０４の手順において６０３のＯＫボタンを押下して設定する。
【００１７】
ここで、Ｍａｉｎシート戻る。図７は登録後のＭａｉｎシートであり、７０１はＭａｉｎシート、７０２はＰｒｏｆｉｌｅアイコンを表示するリストボックスである。今までの手順で「Ｈｏｌｅ  Ｐｕｎｃｈ」というＰｒｏｆｉｌｅ名称でＰｒｏｆｉｌｅを登録したが、登録したアイコンは７０３に示すように、手順Ｓ５０３で指定したアイコンおよび名称で表示される。
【００１８】
次に、登録したＰｒｏｆｉｌｅを選択して、選択したＰｒｏｆｉｌｅの印刷属性設定値の組み合わせを適用する手順を示す。図８はＰｒｏｆｉｌｅを選択およびその印刷属性設定値の適用を示す手順である。この手順に沿って説明を行う。なおここでは、ユーザは７０２のＰｒｏｆｉｌｅリストボックスに登録されているＰｒｏｆｉｌｅのうち、左上のステープルが設定されている７０４の「Ｓｔａｐｌｅ（Ｕｐｐｅｒ  Ｌｅｆｔ）」という名称のＰｒｏｆｉｌｅを選択および設定値の適用をするものとする。ユーザはＳ８０１において、ＭａｉｎシートのＰｒｏｆｉｌｅリストボックスから、所望のＰｒｏｆｉｌｅ、すなわち、「Ｓｔａｐｌｅ（Ｕｐｐｅｒ  Ｌｅｆｔ）」をマウスによりクリックをするなどして選択する。図９は選択後のＭａｉｎシートを示したものであり、９０４の「Ｓｔａｐｌｅ（Ｕｐｐｅｒ  Ｌｅｆｔ）」のＰｒｏｆｉｌｅは、選択されたことを示すため、バックに色が付加される。なお、選択されたことを示す方法は、ユーザが認識できればよく、反転や印を付加する方法などでもよい。次に、ユーザは選択したＰｒｏｆｉｌｅの印刷属性の設定値を適用するために、９０８のＡｐｐｌｙボタンを押下する。
【００１９】
このＡｐｐｌｙボタン９０８の押下により、プリンタドライバの設定は、登録した「Ｓｔａｐｌｅ（Ｕｐｐｅｒ  Ｌｅｆｔ）」の設定値の組み合わせが適用される。
【００２０】
以上説明したように、印刷属性の組み合わせが登録できるプリンタドライバにおいて、組み合わせの登録（Ｐｒｏｆｉｌｅの登録）および適用が可能である。しかし、ここで問題となるのは、プリンタドライバの任意の組み合わせがＰｒｏｆｉｌｅに登録できるが、登録するＰｒｏｆｉｌｅは、１行程度の名称と１つのアイコンであるため、複雑な設定を行った場合、あるＰｒｏｆｉｌｅがどのような印刷属性設定になっているか、容易に確認できない点である。
【００２１】
そこで、以下にＰｒｏｆｉｌｅの印刷属性設定確認方法と印刷属性値変更方法の実施例を示す。この方法によれば、登録したＰｒｏｆｉｌｅの印刷属性設定値が容易に確認、さらには変更が可能となる。
【００２２】
図１０は、登録してあるＰｒｏｆｉｌｅの印刷属性値を確認する手順を示した流れ図であり、この図に沿って説明する。
【００２３】
Ｓ１００１において、ユーザは印刷属性設定内容を確認したいＰｒｏｆｉｌｅを、ＭａｉｎシートのＰｒｏｆｉｌｅリストボックス９０２から選択する。ここでは、「Ｓｔａｐｌｅ（Ｕｐｐｅｒ  Ｌｅｆｔ）」９０４の設定内容を確認するものとする。つまり、ユーザはＰｒｏｆｉｌｅリストボックス９０２から、「Ｓｔａｐｌｅ（Ｕｐｐｅｒ  Ｌｅｆｔ）」９０４をマウスなどで選択する。選択されたＰｒｏｆｉｌｅは、前に説明した適用の手順と同様、バックに色が付加される。次に、Ｓ１００２において、Ｍａｉｎシート９０１の、設定内容を確認するためのボタンである９０６のＶｉｅｗ  Ｓｅｔｔｉｎｇｓボタンを押下する。この押下により、プリンタドライバは、設定を確認するための図１１のダイアログを表示する。
【００２４】
図１１において、１１０１はシート名を表示する欄、１１０２は設定属性名を表示する欄、１１０３は設定値を表示する欄である。なお、このダイアログで表示する内容は、設定値をすべて表示するわけではなく、デフォルト設定から変更されている印刷属性のみを表示するものとする。Ｐｒｏｆｉｌｅ「Ｓｔａｐｌｅ（Ｕｐｐｅｒ  Ｌｅｆｔ）」はデフォルト設定から「左上ステープル」の印刷属性を設定しているのみであるので、このケースでは、１１０４に示すように、Ｓｔａｐｌｅの設定はＯＮ、Ｓｔａｐｌｅ  Ｐｏｓｉｔｉｏｎの設定はＵｐｐｅｒ  Ｌｅｆｔであることが表示される。
【００２５】
なおここではＭａｉｎシートにＶｉｅｗ  Ｓｅｔｔｉｎｇｓボタンを設けて、印刷設定をしているときにＰｒｏｆｉｌｅの印刷属性設定の組み合わせを確認する方法をしめしたが、図１１のダイアログは、印刷開始後に表示するという方法もある。
【００２６】
このように、ユーザは登録したＰｒｏｆｉｌｅの印刷属性設定値の組み合わせを容易に確認することができる。
【００２７】
次に、上述したＰｒｏｆｉｌｅの印刷属性設定値の確認をした上で、さらに設定値を変更する方法を示す。
【００２８】
図１２は登録してあるＰｒｏｆｉｌｅの印刷属性値を変更して使用する手順を示した流れ図であり、この図に沿って説明する。
【００２９】
Ｓ１２０１において、ユーザは印刷属性設定内容を確認および変更したいＰｒｏｆｉｌｅを、ＭａｉｎシートのＰｒｏｆｉｌｅリストボックス９０２から選択する。ここでは、ユーザは左側の２箇所をステープル設定をして出力したいケースを想定する。このときユーザは一番近そうな左上ステープルが設定してあるＰｒｏｆｉｌｅである「Ｓｔａｐｌｅ（Ｕｐｐｅｒ  Ｌｅｆｔ）」９０４を使用し、この設定内容を確認した上で所望の設定値に変更するものとする。ここでユーザはＰｒｏｆｉｌｅリストボックス９０２から、「Ｓｔａｐｌｅ（Ｕｐｐｅｒ  Ｌｅｆｔ）」９０４をマウスなどで選択する。選択されたＰｒｏｆｉｌｅは、前に説明した適用の手順と同様、バックに色が付加される。次に、Ｓ１２０２において、Ｍａｉｎシート９０１の、設定内容を確認するためのボタンである９０６のＶｉｅｗ  Ｓｅｔｔｉｎｇｓボタンを押下する。
【００３０】
この押下により、プリンタドライバは、設定を確認するための図１１のダイアログを表示する。前の説明と同様、ダイアログで表示する内容は、設定値をすべて表示するわけではなく、デフォルト設定から変更されている印刷属性のみを表示するものとする。Ｐｒｏｆｉｌｅ「Ｓｔａｐｌｅ（Ｕｐｐｅｒ  Ｌｅｆｔ）」はデフォルト設定から「左上ステープル」の印刷属性を設定しているのみであるので、このケースでは、１１０４に示すように、Ｓｔａｐｌｅの設定はＯＮ、Ｓｔａｐｌｅ  Ｐｏｓｉｔｉｏｎの設定はＵｐｐｅｒ  Ｌｅｆｔであることが表示される。さらに、ユーザはステープルはするが、ステープル位置を左側２箇所に変更したいため、このダイアログ上で設定値の変更を行う。
【００３１】
図１３は設定値の変更を示す図であり、１３０１から１３０３は図１１と同様であるため説明は省略する。ユーザはステープル位置を変更するために、１１０４欄のＳｔａｐｌｅ  Ｐｏｓｉｔｉｏｎの設定値である、Ｕｐｐｅｒ  Ｌｅｆｔをクリックする。このクリックにより、１３０４に示すように、Ｓｔａｐｌｅ  Ｐｏｓｉｔｉｏｎの指定可能な設定値がリストされる。このリストから、ユーザは所望の設定値である、Ｄｏｕｂｌｅ（Ｌｅｆｔ）を選択する。選択後は１３０５のＯＫボタンを押下してこの変更を適用する。
【００３２】
なお、設定を変更したものの、その変更を適用したくない場合は、１３０６のキャンセルボタンを押下すればよい。なお、ここで適用した変更は、今回の印刷１回のみに適用され、永久にＰｒｏｆｉｌｅの印刷属性の組み合わせが変更されてしまうわけではない。
【００３３】
このように、ユーザは登録したＰｒｏｆｉｌｅの印刷属性設定値の組み合わせを確認および確認した印刷属性に関して設定値を変更することができる。
【実施例２】
【００３４】
図１から図１１、および図１４から図１６は第２実施例を表す図面であり、これらの図により説明を行なう。
【００３５】
図１から図１１による、印刷属性設定の組み合わせが登録可能なプリンタドライバ、印刷属性組み合わせの登録方法、適用方法、属性確認方法については実施例１と同じであるため説明は割愛する。
【００３６】
図１４は登録したＰｒｏｆｉｌｅの印刷属性設定を変更する手順を示した図であり、この流れ図に沿って説明を行う。
【００３７】
Ｓ１４０１において、ユーザは設定値を変更したい登録したＰｒｏｆｉｌｅについて、変更する印刷属性を特定する。特定方法は、図１５に示すように、１５０１のＭａｉｎシートにおいて、１５０２のＰｒｏｆｉｌｅアイコンリストボックスで設定値を変更したいＰｒｏｆｉｌｅアイコン上でマウスの右ボタンをクリックする。なお、本実施例では、設定値を変更する印刷属性の特定をマウスの右ボタンクリックとしているが、通常のＰｒｏｆｉｌｅを選択する方法以外の方法であれば、他の方法でもよい。たとえば、通常のＰｒｏｆｉｌｅを選択する方法がマウスの左ボタンクリックであれば、設定値を変更する印刷属性特定の方法は、特定のキー（コントロールキー）を押下しながらマウスの左ボタンをクリックする、などである。
【００３８】
この例では、１５０３の「Ｓｔａｐｌｅ（Ｕｐｐｅｒ  Ｌｅｆｔ）」登録Ｐｒｏｆｉｌｅの印刷属性値を変更するものとする。ユーザが「Ｓｔａｐｌｅ（Ｕｐｐｅｒ  Ｌｅｆｔ）」Ｐｒｏｆｉｌｅ（１５０３）上でマウスの右ボタンをクリックすると、プリンタドライバは、１５０４の設定値を変更する印刷属性を特定するためのポップアップメニューを表示する。ポップアップメニュー（１５０４）では、変更できる印刷属性として、「Ｂｉｎｄｉｎｇ  Ｌｏｃａｔｉｏｎ」、「Ｓｔａｐｌｅ  Ｐｏｓｉｔｉｏｎ」、「Ｐｒｉｎｔ  Ｓｔｙｌｅ」をリストしている。ユーザは「Ｓｔａｐｌｅ  Ｐｏｓｉｔｉｏｎ」の印刷属性設定値を変更したいため、ポップアップメニュー（１５０４）の「Ｄｅｓｉｇｎａｔｅ  Ｓｔａｐｌｅ  Ｐｏｓｉｔｉｏｎ」を選択する。「Ｄｅｓｉｇｎａｔｅ  Ｓｔａｐｌｅ  Ｐｏｓｉｔｉｏｎ」を選択後、Ｐｒｏｆｉｌｅアイコン上でマウスの左ボタンをクリックすると、ステープル位置の変更が可能なモードとなる。
【００３９】
Ｓ１４０２において、ユーザは印刷属性設定値を変更したいＰｒｏｆｉｌｅアイコンの特定位置をクリックすることにより、設定値の変更を行う。設定の変更は、１６０１のＭａｉｎシートの１６０２のＰｒｏｆｉｌｅアイコンリストボックスにおいて、設定値を変更したいＰｒｏｆｉｌｅアイコン上で増マウスの左ボタンをクリックすることにより行う。ここでは、１６０３の「Ｓｔａｐｌｅ（Ｕｐｐｅｒ  Ｌｅｆｔ）」Ｐｒｏｆｉｌｅについて、現在左上のステープル設定から、左２箇所ステープルへ設定値を変更するものとする。ユーザは、「Ｓｔａｐｌｅ（Ｕｐｐｅｒ  Ｌｅｆｔ）」アイコン（１６０３）上において、ステープルを左２箇所に変更したいため、このアイコンの左端の任意の位置上にマウスカーソルをフォーカスし、マウスの右ボタンをクリックする。このクリックにより、Ｓ１４０１のステップの結果と合わせて、プリンタドライバは、このクリックが、ステープル位置を左２箇所に変更する指示であることを判断して、このＰｒｏｆｉｌｅのステープルの印刷属性設定を、左上１箇所から左２箇所に変更する。
【００４０】
なお、ここで適用した変更は、今回の印刷１回のみに適用され、永久にＰｒｏｆｉｌｅの印刷属性の組み合わせが変更されてしまうわけではない。
【００４１】
このように、ユーザは登録したＰｒｏｆｉｌｅの印刷属性設定値の組み合わせを確認および確認した印刷属性に関して設定値を変更することができる。
【図面の簡単な説明】
【００４２】
【図１】プリンタドライバのＭａｉｎシートを示す図
【図２】プリンタドライバのＦｉｎｉｓｉｎｇシートを示す図
【図３】プリンタドライバのＰａｐｅｒ  Ｓｏｕｒｃｅシートを示す図
【図４】プリンタドライバのＱｕａｌｉｔｙシートを示す図
【図５】Ｐｒｏｆｉｌｅ登録の流れ図
【図６】Ｐｒｏｆｉｌｅ登録ダイアログを示す図
【図７】Ｐｒｏｆｉｌｅ登録後のＭａｉｎシートを示す図
【図８】Ｐｒｏｆｉｌｅ印刷属性設定の適用の流れ図
【図９】Ｐｒｏｆｉｌｅの選択状態を示すＭａｉｎシートを示す図
【図１０】選択したＰｒｏｆｉｌｅの印刷属性設定を確認する流れ図
【図１１】Ｐｒｏｆｉｌｅの印刷属性設定確認ダイアログを示す図
【図１２】Ｐｒｏｆｉｌｅの印刷属性設定値変更の流れ図
【図１３】Ｐｒｏｆｉｌｅの印刷属性設定値確認および変更ダイアログを示す図
【図１４】Ｐｒｏｆｉｌｅアイコン上で印刷属性設定を変更する流れ図
【図１５】Ｐｒｏｆｉｌｅアイコン上で変更する印刷属性を特定するときのＭａｉｎシートを示す図
【図１６】Ｐｒｏｆｉｌｅアイコン上で印刷属性設定値を変更するときのＭａｉｎシートを示す図
【符号の説明】
【００４３】
１０１  Ｍａｉｎシート
１０６  「Ｒｅｇｉｓｔｅｒ  ｔｏ  Ｐｒｏｆｉｌｅ」ボタン
２０１  Ｆｉｎｉｓｈｉｎｇシート
６０１  エディットボックス
６０２  リストボックス
７０１  Ｍａｉｎシート
【図５】
2006221415.tif 000003
【図８】
2006221415.tif 000004
【図１０】
2006221415.tif 000005
【図１２】
2006221415.tif 000006
【図１４】
2006221415.tif 000007
【図１】
2006221415.tif 000008
【図２】
2006221415.tif 000009
【図３】
2006221415.tif 000010
【図４】
2006221415.tif 000011
【図６】
2006221415.tif 000012
【図７】
2006221415.tif 000013
【図９】
2006221415.tif 000014
【図１１】
2006221415.tif 000015
【図１３】
2006221415.tif 000016
【図１５】
2006221415.tif 000017
【図１６】
2006221415.tif 000018